(57)【要約】【課題】人工ネイル及びその製造方法を提供する。【解決手段】人工ネイルは、ネイル本体１００からなる。ネイル本体１００は、幅方向に沿って形成されている指標部１１０を備える。指標部１１０は、他の部分１２０とは異なる表面粗度を備える。指標部１１０は、指爪に装着されたネイル本体１００を所望の長さに切断する際の指標としての役割を果たす。従って、指標部１１０は、他の人工ネイルの長さと一致するようにネイル本体を切断することを容易にする。さらに、前記人工ネイルの製造方法を提供する。【選択図】図３
2010167280.tif 000002
【特許請求の範囲】
【請求項１】
ネイル本体からなる人工ネイルにおいて、
前記ネイル本体は、幅方向に沿って形成されている指標部を備え、
前記指標部は、他の部分とは異なる表面粗度を備えることを特徴とする人工ネイル。
【請求項２】
請求項１に記載の人工ネイルにおいて、
前記指標部は、前記ネイル本体の上面に複数形成され、
前記指標部は、前記ネイル本体の長手方向に沿って互いに離間して配置されていることを特徴とする人工ネイル。
【請求項３】
請求項１または２に記載の人工ネイルにおいて、
前記ネイル本体は、下面に、幅方向に沿って装着用段差部を備えることを特徴とする人工ネイル。
【請求項４】
ネイル本体を成形する成形工程からなり、
前記成形工程は、前記ネイル本体の幅方向に沿って表面粗度が異なるように指標部を形成することを特徴とする人工ネイルの製造方法。
【請求項５】
請求項４記載の人工ネイルの製造方法において、
前記成形工程は、射出成形によりネイル本体を形成するものであり、
前記指標部は、部分的にエッチング処理されている金型を用いることにより形成されることを特徴とする人工ネイルの製造方法。
【請求項６】
ネイル本体を成形する成形工程と、前記ネイル本体に対する後処理工程とからなり、
前記後処理工程により、ネイル本体に他の部分とは異なる表面粗度を有する指標部を形成することを特徴とする人工ネイルの製造方法。
【請求項７】
請求項６記載の人工ネイルの製造方法において、
射出成形によりネイル本体を成形する成形工程と、
前記射出成形により成形されたネイル本体に固体粒子を含むインク又は塗料を印刷又は吹き付けることにより前記指標部を形成する後処理工程とからなることを特徴とする人工ネイルの製造方法。
【発明の詳細な説明】
【技術分野】
【０００１】
本発明は、人工ネイル及びその製造方法に関する。特に、ネイル本体を含み、前記ネイル本体には、幅方向に指標部が形成され、前記指標部は、表面粗度が異なるように形成される人工ネイルに関する。
【背景技術】
【０００２】
従来、図１及び図２に示すように、透明なプラスチック樹脂材料で製造され、チップネイルベース１１を備える人工チップネイル１０が知られている(例えば、特許文献１参照)。人工チップネイル１０において、エアブラシまたは他の手段を通じてチップネイルベース１１の上面に装飾層１２が形成されている。チップネイルベース１１は、白色に塗布されており、フレンチスタイルのマニキュアを塗ったような効果を奏する。
【０００３】
人工チップネイル１０は、その一側の先端が、チップネイル接着部１３となっている。チップネイル接着部１３は、チップネイルベース１１より薄くなっている。チップネイル接着部１３には、透明な接着剤を塗布することにより、人工チップネイル１０を指爪１８に接着する。
【０００４】
人工チップネイル１０は、指爪１８の上面１４の所定の位置に装着され、自然な外観が形成される。人工チップネイル１０を装着するために、指爪１８の上面１４に、透明なアクリル樹脂材料が塗布され、人工チップネイル１０を含めて滑らかな表面が形成される。指爪１８及び人工チップネイル１０の全面には、透明なアクリル樹脂材料からなるコーティング層１７が形成され、光沢のある魅力的な外観を形成し、装飾層１２をより装飾的にする。
【０００５】
人工チップネイル１０は、望ましくは、ＡＢＳ樹脂で製造される。ユーザは、人工チップネイルを所望の大きさ及び形状に切断するか又は爪やすりで削ることができる。人工チップネイル１０は、指爪１８に装着されていても、透明な人工チップネイル１０を通じて下層の指爪を見ることができる。従って、人工チップネイル１０は、指爪１８と共に美しく自然な外観を形成することができる。
【先行技術文献】
【特許文献】
【０００６】
【特許文献１】韓国登録特許第４５２２８０号公報
【発明の概要】
【発明が解決しようとする課題】
【０００７】
しかしながら、従来の人工チップネイル１０は、ユーザが所望の長さに切断する際、切断部位の指標となるものがないため、切断面の形状と人工チップネイル１０の長さをユーザの希望する通りにすることが難しいという問題点がある。また、切断後の人工チップネイル１０の長さが、他の人工チップネイル１０の長さと一致しないという問題点がある。従って、人工チップネイル１０は、ネイリスト等の専門家にその処理を頼る必要がある。
【０００８】
そこで、本発明はかかる問題点を解決するため、ユーザが人工ネイルを所望の形状に、他の人工ネイルと長さを一致させて切断することを容易にする人工ネイル及びその製造方法を提供することを目的とする。
【課題を解決するための手段】
【０００９】
本発明の人工ネイルは、ネイル本体からなり、前記ネイル本体は、幅方向に沿って形成されている指標部を備え、前記指標部は、他の部分とは異なる表面粗度を備えることを特徴とする。
【００１０】
本発明の一実施形態において、前記指標部は、前記ネイル本体の上面に複数形成され、前記指標部は、前記ネイル本体の長手方向に沿って互いに離間して配置され、前記ネイル本体は、下面に、幅方向に沿って装着用段差部を備える。
【００１１】
本発明の人工ネイルの製造方法は、ネイル本体を成形する成形工程と、前記ネイル本体に対する後処理工程とからなり、前記成形工程又は前記後処理工程の何れか一方において、ネイル本体に他の部分とは異なる表面粗度を有する指標部をネイル本体の幅方向に沿って形成することを特徴とする。
【００１２】
また、本発明の人工ネイルの製造方法では、前記指標部は、射出成形により形成されるものであってよい。
【００１３】
また、本発明の人工ネイルの製造方法では、前記指標部が他の部分と異なる表面粗度を有するように、前記成形工程において、前記指標部は、部分的にエッチングされている金型を用いることにより形成されてもよく、前記後処理工程において、前記ネイル本体に印刷又は吹き付けをすることにより前記指標部を形成してもよい。
【００１４】
本発明の人工ネイル及びその製造方法によれば、次のような効果がある。
【００１５】
本発明の人工ネイルは、ユーザの指爪に装着した状態で所望の長さに切断することができる。前記人工ネイルは、指爪の先端に装着されてもよく（チップタイプ）、指爪の全面を覆うように装着されてもよい（フルカバータイプ）。前記指標部は指標としての役割を果たし、ユーザが人工ネイルを所望の形状に、他の人工ネイルと長さを合わせて切断することを容易にする。その結果、ユーザは、ネイリスト等の専門家に頼ることなく、指爪にチップタイプ又はフルカバータイプの人工ネイルを直接装着することができ、そして、素早く人工ネイルを切断することができる。
【００１６】
前記指標部は、前記ネイル本体の上面に複数形成されており、ユーザは容易に前記指標部を視認することができる。前記人工ネイルの上面にコーティング層を形成すれば、外観上、前記指標部が見えなくなるという利点がある。
【００１７】
前記指標部は、互いに離間して前記ネイル本体の長手方向に沿って配置されているため、ユーザは多様な長さに人工ネイルを容易に切断することができる。
【００１８】
前記ネイル本体の下面には、幅方向に装着用段差部が形成されており、ユーザの指爪の端部に人工ネイルを付着させた時、人工ネイルが指爪より過度に突出することを防止することができる。また、前記装着用段差部は、人工ネイルを装着する位置を決定する役割を果たすので、前記人工ネイルの装着を容易にすることができる。
【００１９】
前記指標部を、部分的にエッチング処理されている金型を用い、別途の工程なしに形成することができる。または、前記指標部を後処理工程において、印刷又は吹き付けをすることにより形成することができる。このような方法によれば、前記指標部の表面粗度を、微細に調節することができるという利点がある。
【図面の簡単な説明】
【００２０】
【図１】フィラーとコーティング層とを備えていない指爪に従来の人工チップネイルを装着した状態を示す斜視図。
【図２】図１の人工チップネイルの上面にフィラーを塗布した状態を示す断面図。
【図３】本発明の実施形態の人工ネイルを示す平面図。
【図４】図３の人工ネイルを切断した後を示す平面図。
【図５】図４の人工ネイルをコーティングした後を示す平面図。
【図６】図４の人工ネイル使用状態を示す断面図。
【図７】本発明の他の実施形態の人工ネイルを示す断面図及び要部拡大図。
【図８】図７の人工ネイルの平面図。
【発明を実施するための形態】
【００２１】
以下、本発明の実施形態の人工ネイルについて、図３〜図６を用いて説明する。
【００２２】
尚、後述する本発明の構成のうち、従来の技術の構成と同一のものについては、同一の符号を付し、他の詳細な説明は省略する。
【００２３】
図３乃至図６に示すように、本実施形態の人工ネイルは、ネイル本体１００からなる。ネイル本体１００には、幅方向に沿って指標部１１０が形成されている。指標部１１０は、ネイル本体１００の他の部分１２０とは異なる表面粗度を備える。
【００２４】
図３に示すように、ネイル本体１００は、人の指爪の形状と同様、上側に凸となるように湾曲している。
【００２５】
また、ネイル本体１００は、ユーザの指爪の先端に接触する第１の端部と、第１の端部に対向する第２の端部とを有している。第１の端部は、第２の端部より大きな円弧状に形成されている。このような構成によれば、ネイル本体１００は、指爪に装着されたとき、より自然な外観となる。
【００２６】
ネイル本体１００には、幅方向に指標部１１０が形成され、指標部１１０は、ネイル本体１００の他の部分１２０と表面粗度が異なるように形成されている。
【００２７】
このように、指標部１１０の粗度が異なるように形成されていることにより、光の反射及び屈折が指標部１１０とそれ以外の部分とで変わるようになる。従って、ユーザが肉眼により指標部１１０とそれ以外の部分とを視認することを容易にすることができる。
【００２８】
指標部１１０は、ネイル本体１００の第１の端部及び第２の端部と同様の円弧状に形成される。このような形状にすることにより、切断後の指標部１１０の外観を自然にすることができる。
【００２９】
指標部１１０は、ネイル本体１００の上面に複数形成される。このような構造によれば、ユーザによる指標部１１０の視認を容易にすることができる。
【００３０】
一方、図５及び図６に示すように、ネイル本体１００は、上面に透明なコーティング層２００が形成される。コーティング層２００の厚さによって、指標部１１０での光の屈折が実質的に生じないため、ネイル本体１００は、外観上指標部１１０が見えなくなる。
【００３１】
さらに、ネイル本体１００の上面に不透明なコーティング層（有色コーティング層）を形成するか、又はネイル本体１００の上面にアクリル樹脂材料により処理をすることにより、指標部１１０は見えなくなる。
【００３２】
複数の指標部１１０は、ネイル本体１００の長手方向に沿って互いに離間して配置されている。このように配置することにより、ユーザがネイル本体１００を多様な長さに切断することを容易にすることができる。
【００３３】
図６に示すように、ネイル本体１００は、下面に、幅方向に沿って装着用段差部１３０が形成される。
【００３４】
ネイル本体１００がユーザの指爪に装着されているとき、装着用段差部１３０は、ネイル本体１００の上面がユーザの指爪より過度に突出することを防止する。また、装着用段差部１３０は、ネイル本体１００が指爪に装着される位置を決定し、ネイル本体の装着を容易にする。
【００３５】
次に、本発明の他の実施形態の人工ネイルについて図７及び図８を用いて説明する。
【００３６】
図７及び図８に示すように、本発明の他の実施形態の人工ネイルは、ネイル本体１００'を備える。他の実施形態の人工ネイルは、ネイル本体１００に代えて指爪の全面を覆うタイプ（フルカバータイプ）のネイル本体１００’をからなることを除き、上述した実施形態の人工ネイルと全く同一である。フルカバータイプのネイル本体１００'は、装着用段差部１３０を備えておらず、平坦な下面を有する。また、指標部１１０は、指爪の根に近い部分には形成されず、ネイル本体１００’で指爪の端部に近い部分から形成される。
【００３７】
ユーザの指爪に装着されたネイル本体１００，１００’が所望の長さとなるようにネイル本体１００，１００’を切断する際、指標部１１０は、指標としての役割を果たす。従って、ユーザが指標部１１０，１００’の境界線に沿ってネイル本体１００を切断することにより、ネイル本体１００，１００’を所望の形状にし、かつ他の人工ネイルと長さが一致するように切断することを容易にすることができる。
【００３８】
以下、チップタイプ又はフルカバータイプの人工ネイルの製造方法を説明する。
【００３９】
本発明の一実施形態の人工ネイルの製造方法は、ネイル本体１００，１００’を成形する成形工程と、ネイル本体１００，１００’に対する後処理工程とからなる。ネイル本体１００，１００’は、幅方向に沿って指標部１１０が形成される。指標部１１０は、その他の部分１２０の表面粗度とは異なる表面粗度を有し、前記成形工程において指標部１１０を形成してもよく、前記後処理工程においてネイル本体１００，１００’に印刷や吹き付けをすることにより指標部１１０を形成してもよい。
【００４０】
前記成形工程は、射出成形によって行われる。人工ネイルがチップタイプである場合には、下面に装着用段差部１３０を有し、人工ネイルがフルカバータイプである場合には、下面に平坦面を有する。
【００４１】
前記人工ネイルを射出成形するための金型は、部分的にエッチング処理されている。このような金型を用いて射出成形することにより、前記ネイル本体１００，１００’は、金型のエッチング処理されている部分に対応する位置に他の部分１２０とは異なる表面粗度を備える指標部１１０が形成される。
【００４２】
このような方法により、別途の工程なしに指標部１１０を備える人工ネイル１００，１００’を成形することができる。また、部分的にエッチング処理された金型を用いることにより、指標部１１０の表面粗度を微細に調節することができるという利点がある。
【００４３】
もう一つの実施形態として、射出成形後の後処理工程において、ネイル本体１００，１００’に指標部１１０を形成することができる。人工ネイルがチップタイプである場合には、下面に装着用段差部１３０を有し、人工ネイルがフルカバータイプである場合には、下面に平坦面を有する。
【００４４】
特に、他の部分とは表面粗度が異なるように印刷又は吹きつけを行うことによって指標部１１０を形成することができる。この後処理工程では、射出成形されたネイル本体１００，１００’に、大きな固体粒子を含むインク又は塗料を印刷又は吹き付けすることができる。この結果、人工ネイルには、他の部分１２０とは表面粗度が異なる指標部１１０が形成される。このような指標部１１０の表面粗度は、印刷やスプレーに含まれる固体粒子の大きさによってを微細に調節することができるという利点がある。
【００４５】
以上、本発明の実施形態を説明したが、当業者は、特許請求の範囲に記載の本発明の思想及び目的から外れない範囲内で本発明を多様に変形または改変して実施することができる。
【００４６】
本発明による人工ネイル及びその製造方法は、ユーザの指爪の全体を覆わずに指爪の端部にのみ装着するチップネイル及び指爪の全体を覆うフルカバー人工ネイルに適用可能である。
【符号の説明】
【００４７】
１００，１００’…ネイル本体、１１０…指標部、１３０…装着用段差部、２００…コーティング層。
【図１】
2010167280.tif 000003
【図２】
2010167280.tif 000004
【図３】
2010167280.tif 000005
【図４】
2010167280.tif 000006
【図５】
2010167280.tif 000007
【図６】
2010167280.tif 000008
【図７】
2010167280.tif 000009
【図８】
2010167280.tif 000010